(57)【特許請求の範囲】
【請求項１】
商用電源により作動するガス温風暖房機であって、
前記商用電源により作動して現在時刻を計時する計時手段と、
前面上部に備えられた操作パネルと、前記計時手段により計時された現在時刻を該操作パネルに配置された表示器に表示する表示手段と、前記操作パネルに配置された、前記計時手段よる現在時刻の計時データを変更するための時刻変更スイッチと、前記操作パネルに配置された、前記時刻変更スイッチによる計時データの変更が可能な時刻設定可能モードと前記時刻変更スイッチによる計時データの変更が不能な時刻設定不能モードとを切換えるモード切換スイッチと、
前記モード切換スイッチの操作により前記時刻設定不能モードから前記時刻設定可能モードに移行したときに、前記計時手段により計時された現在時刻を前記表示器に表示した後、前記時刻変更スイッチの操作に応じて前記表示器に表示する時刻を変更する時刻表示変更手段と、
前記モード切換スイッチの操作により前記時刻設定可能モードから前記時刻設定不能モードに移行する際に、該移行時に前記表示器に表示されていた時刻を新たな計時開始時刻として前記計時手段による計時を開始させる時刻設定手段とを備えたガス温風暖房機において、
前記商用電源の停電の有無を検出する停電検出手段と、
該停電検出手段により前記商用電源が停電から復帰したことが検知されたときに、前記時刻設定不能モードとし、その後最初に前記モード切換スイッチが操作されたときに前記時刻設定可能モードに切換え、その後最初に前記モード切換スイッチが操作されたときに前記時刻設定不能モードに切換える手段とを備え、
前記時刻表示変更手段は、前記停電検出手段により前記商用電源が停電から復帰したことが検知された後、最初に前記モード切換スイッチの操作により前記時刻設定可能モードとなったときは、前記表示器に所定の初期表示を行った後、前記時刻変更スイッチの操作に応じて前記表示器に表示する時刻を変更し、
前記時刻設定手段は、前記時刻表示変更手段により前記表示器に前記初期表示がなされた後、前記時刻変更スイッチが操作されることなく前記モード切換スイッチが操作されて前記時刻設定不能モードに移行したときは、前記計時手段の新たな計時開始時刻の設定を禁止し、一方、前記時刻表示変更手段により前記初期表示がなされた後、前記時刻変更スイッチが操作されて該操作に応じた時刻が前記表示器に表示された状態で前記モード切換スイッチが操作されて前記時刻設定不能モードに移行したときには、該移行時に前記表示器に表示されていた時刻を計時開始時刻として設定することを特徴とするガス温風暖房機。
【請求項２】
前記時刻表示変更手段は、前記時刻設定手段により前記計時手段の新たな計時開始時刻の設定が禁止された状態で、前記モード切換スイッチの操作により前記時刻設定可能モードに移行したときは、前記表示器に前記初期表示を表示した後、前記時刻変更スイッチの操作に応じて前記表示器に表示する時刻を変更することを特徴とする請求項１記載のガス温風暖房機。
【請求項３】
所定処理を行うための予約時刻を設定する予約時刻設定手段と、該予約時刻設定手段により設定された予約時刻のデータを記憶する書換え可能な不揮発性メモリと、前記予約時刻となったときに前記所定処理を行う予約運転を実行するか否かを設定する予約設定手段と、前記停電検出手段により前記商用電源が停電から復帰したことが検知されてから、前記時刻設定手段により前記計時手段の新たな計時開始時刻が設定されて計時が開始されるまでの間、前記予約設定手段による前記予約運転の実行の設定を禁止する予約禁止手段とを備えたことを特徴とする請求項１又は請求項２記載のガス温風暖房機。
【発明の詳細な説明】
【０００１】
【発明の属する技術分野】
本発明は、商用電源から供給される電力により作動するガス温風暖房機に関する。
【０００２】
【従来の技術】
例えば、商用電源から供給される電力により作動するガス温風暖房機において、予約した時刻となったときに暖房運転を開始／停止するいわゆるタイマ運転を行うために、現在時刻を計時する計時手段と、該計時手段が計時する現在時刻とタイマ運転の予約時刻を表示する表示パネルとを備えたものが知られている。
【０００３】
かかるガス温風暖房機にあっては、現在時刻と予約時刻を設定するための時刻変更スイッチが備えられ、ガス温風暖房機が据付け設置されて最初に電源が供給されたときに、使用者は該時刻変更スイッチにより現在時刻を設定する。
【０００４】
しかし、計時手段は商用電源により作動するため、停電時の計時手段の作動を確保するためのバックアップ用電源を備えていない場合には、商用電源の停電が生じると現在時刻の計時が不能となり、それまでの現在時刻の計時データも失われてしまう。そのため、この場合には、商用電源が停電から復帰したときに、使用者は再度時刻変更スイッチを操作して現在時刻を設定し直す必要がある。
【０００５】
ここで、ガス温風暖房機においては、部品コストを低減するため、表示器には時刻（現在時刻と予約時刻）と温度（目標暖房温度と実際の室温）が切換え表示され、時刻変更スイッチは目標暖房温度の変更スイッチと兼用されるのが一般的である。
【０００６】
そのため、ガス温風暖房機には、現在時刻及び予約時刻を設定する時刻設定モードと目標暖房温度を設定する温度設定モードとを切換えるモード切換スイッチが設けられ、使用者は、現在時刻を設定するときには、該モード切換スイッチを操作して時刻設定モードに切換え、時刻変更スイッチを操作して表示器に表示される時刻を変更した後、再度モード切換スイッチを操作して表示器に表示された時刻を現在時刻として設定する処理を行う。
【０００７】
そして、商用電源の停電が生じて該停電から復帰したときに、使用者がモード切換スイッチを操作して時刻設定モードに切換えたときには、計時データが失われているため、表示器には初期設定時刻である０時が表示される。この場合、使用者は、時刻変更スイッチを操作して表示器の時刻表示を現在時刻に変更した後、再度モード切換スイッチを操作して現在時刻を設定し直す必要がある。
【０００８】
しかし、使用者が商用電源の停電があったことに気づかずに、ガス温風暖房機の掃除を行うとき等にモード切換スイッチのみを２回続けて操作したときには、１回目のモード切換スイッチの操作に応じて表示器に表示された初期設定時刻（０時）が、２回目のモード切換スイッチの操作により現在時刻として誤って設定されてしまうという不都合があった。
【０００９】
【発明が解決しようとする課題】
本発明は、上記不都合を解消し、商用電源の停電から復帰した際に、スイッチの誤操作により誤った現在時刻が設定されることを防止したガス温風暖房機を提供することを目的とする。
【００１０】
【課題を解決するための手段】
本発明は上記目的を達成するためになされたものであり、商用電源により作動するガス温風暖房機であって、前記商用電源により作動して現在時刻を計時する計時手段と、前面上部に備えられた操作パネルと、前記計時手段により計時された現在時刻を該操作パネルに配置された表示器に表示する表示手段と、前記操作パネルに配置された、前記計時手段よる現在時刻の計時データを変更するための時刻変更スイッチと、前記操作パネルに配置された、前記時刻変更スイッチによる計時データの変更が可能な時刻設定可能モードと前記時刻変更スイッチによる計時データの変更が不能な時刻設定不能モードとを切換えるモード切換スイッチと、前記モード切換スイッチの操作により前記時刻設定不能モードから前記時刻設定可能モードに移行したときに、前記計時手段により計時された現在時刻を前記表示器に表示した後、前記時刻変更スイッチの操作に応じて前記表示器に表示する時刻を変更する時刻表示変更手段と、前記モード切換スイッチの操作により前記時刻設定可能モードから前記時刻設定不能モードに移行する際に、該移行時に前記表示器に表示されていた時刻を新たな計時開始時刻として前記計時手段による計時を開始させる時刻設定手段とを備えたガス温風暖房機の改良に関する。
【００１１】
そして、前記商用電源の停電の有無を検出する停電検出手段と、該停電検出手段により前記商用電源が停電から復帰したことが検知されたときに、前記時刻設定不能モードとし、その後最初に前記モード切換スイッチが操作されたときに前記時刻設定可能モードに切換え、その後最初に前記モード切換スイッチが操作されたときに前記時刻設定不能モードに切換える手段とを備え、前記時刻表示変更手段は、前記停電検出手段により前記商用電源が停電から復帰したことが検知された後、最初に前記モード切換スイッチの操作により前記時刻設定可能モードとなったときは、前記表示器に所定の初期表示を行った後、前記時刻変更スイッチの操作に応じて前記表示器に表示する時刻を変更し、前記時刻設定手段は、前記時刻表示変更手段により前記表示器に前記初期表示がなされた後、前記時刻変更スイッチが操作されることなく前記モード切換スイッチが操作されて前記時刻設定不能モードに移行したときは、前記計時手段の新たな計時開始時刻の設定を禁止し、一方、前記時刻表示変更手段により前記初期表示がなされた後、前記時刻変更スイッチが操作されて該操作に応じた時刻が前記表示器に表示された状態で前記モード切換スイッチが操作されて前記時刻設定不能モードに移行したときには、該移行時に前記表示器に表示されていた時刻を計時開始時刻として設定することを特徴とする。
【００１２】
かかる本発明によれば、前記商用電源が停電から復帰して最初に前記モード切換スイッチが操作されたときに、前記時刻設定手段は、前記表示器に所定の初期表示を行う。そして、前記時刻設定手段は、前記表示器に前記初期表示がなされた後、時刻変更スイッチが操作されることなく前記モード切換スイッチが操作されて前記時刻設定不能モードに移行したときには、前記計時手段の新たな計時開始時刻の設定を禁止する。そのため、前記商用電源が停電から復帰したときに、使用者が誤って前記モード切換スイッチのみを続けて操作しても、前記計時手段により計時される現在時刻が誤って設定されることはない。
【００１３】
また、前記時刻表示変更手段は、前記時刻設定手段により前記計時手段の新たな計時開始時刻の設定が禁止された状態で、前記モード切換スイッチの操作により前記時刻設定可能モードに移行したときは、前記表示器に前記初期表示を表示した後、前記時刻変更スイッチの操作に応じて前記表示器に表示する時刻を変更することを特徴とする。
【００１４】
かかる本発明によれば、前記商用電源が停電から復帰した後、前記計時手段の計時開始時刻が設定されるまで、前記モード切換スイッチの操作により前記時刻設定可能モードに移行する度に前記表示器に前記初期表示が表示され、使用者は前記時刻変更スイッチの操作により前記表示器の表示時刻を変更することができる。そして、前記表示器に前記初期表示がなされた状態で、使用者が前記時刻変更スイッチを操作することなく前記モード切換スイッチを操作して前記時刻設定可能モードから前記時刻設定不能モードに移行したときには、前記時刻設定手段により前記計時手段の計時開始時刻の設定が禁止される。そのため、前記商用電源が停電から復帰して、使用者が前記モード切換スイッチのみを連続して操作したときに、前記計時手段により計時される現在時刻が誤って設定されることを確実に防止することができる。
【００１５】
また、所定処理を行うための予約時刻を設定する予約時刻設定手段と、該予約時刻設定手段により設定された予約時刻のデータを記憶する書換え可能な不揮発性メモリと、前記予約時刻となったときに前記所定処理を行う予約運転を実行するか否かを設定する予約設定手段とを備えて、該予約運転を行う場合、前記計時手段の計時開始時刻が設定されなければ前記計時手段は現在時刻の計時を開始しないため、前記予約設定手段により前記予約運転の実行が設定されても、誤った現在時刻に前記予約運転が実行されることはない。
【００１６】
しかし、前記計時手段の新たな計時時刻が設定されていないにも関わらず、前記予約運転の設定を可能とすると、使用者が前記予約運転の実行を設定したにも関わらず、前記計時手段による現在時刻の計時が行われないために、使用者の意に反して前記予約運転が実行されないという不都合が生じる。
【００１７】
そこで、前記停電検出手段により前記商用電源が停電から復帰したことが検知されてから、前記時刻設定手段により前記計時手段の新たな計時開始時刻が設定されて計時が開始されるまでの間、前記予約設定手段による前記予約運転の実行の設定を禁止する予約禁止手段を備えることによって、上記不都合が生じることを防止することができる。
【００１９】
【発明の実施の形態】
本発明の実施の形態の一例について、図１〜図５を参照して説明する。図１は時計装置の制御ブロック図、図２は図１に示したスイッチ類や表示器類が備えられた操作パネルの外観図、図３〜図５は商用電源の停電から復帰した際の時刻設定処理のフローチャートである。
【００２０】
図１を参照して、時計装置１は、コントローラ２と、スイッチ部３と、表示部４とからなり、図示しないガス温風暖房機に組み込まれている。コントローラ２は整流回路５を介して商用電源６から供給される電力により作動し、コントローラ２の作動を制御するマイコン１０（本発明の計時手段、表示手段、時刻表示変更手段、時刻設定手段、及び予約禁止手段の機能を含む）、ＥＥＰＲＯＭ１１（本発明の書換え可能な不揮発性メモリに相当する）、及び商用電源６の停電を検知する停電検出回路１２（本発明の停電検出手段に相当する）を備えている。そして、マイコン１０は水晶発振器１３のクロックパルスをカウントすることによって現在時刻を計時する。
【００２１】
スイッチ部３は、マイコン１０により計時される現在時刻や暖房運転の目標温度を設定する（＋）スイッチ２０（本発明の時刻変更スイッチに相当する）と（−）スイッチ２１（本発明の時刻変更スイッチに相当する）、現在時刻の設定を行う時刻設定モード（本発明の時刻設定可能モードに相当し、時刻設定モードでない状態が本発明の時刻設定不能モードに相当する）に切換えるための時刻合せスイッチ２２（本発明のモード切換スイッチに相当する）、暖房運転の開始／停止を指示する運転スイッチ２３、予め定められた時間（例えば１時間）が経過したときに暖房運転を終了する「おやすみ運転」の実行を指示するおやすみスイッチ２４、及び予め定められた暖房予約時間（（＋）スイッチ２０と（−）スイッチ２１により設定される。この場合、（＋）スイッチ２０と（−）スイッチ２１は本発明の予約時刻設定手段に相当する）になったときに暖房運転を開始する「おはよう運転」（本発明の所定処理に相当する）の実行を指示するためのおはようスイッチ２５（本発明の予約設定手段に相当する）を備えている。
【００２２】
表示部４は、時刻（現在時刻、暖房予約時刻）と室温（検出室温、目標室温）を切換え表示する７セグメントタイプのＬＥＤパネル３０、ＬＥＤパネル３０の表示時刻が午前であることを示す午前ＬＥＤ３１、ＬＥＤパネル３０の表示時刻が午後であることを示す午後ＬＥＤ３２、ＬＥＤパネル３０に時刻が表示されていることを示す時計ＬＥＤ３３、及び「おはよう運転」の予約がセットされていることを示すおはようＬＥＤ３４を備えている。
【００２３】
また、コントローラ２には、室温センサ４０の温度検出信号が入力され、コントローラ２から出力される制御信号により、ガス電磁弁やファン等のアクチュエータ４１の作動が制御される。
【００２４】
そして、図２に示したように、スイッチ部３に備えられたスイッチ類と、表示部４に備えられたＬＥＤ類は、ガス温風暖房機の前面上部に備えられた操作パネル５０に配置されている。
【００２５】
ガス温風暖房機が設置されて商用電源６と接続されると、コントローラ２が作動を開始して運転待機状態となる。そして、使用者が、現在時刻を設定するために時刻合せスイッチ２２を操作して時刻設定モードとすると、マイコン１０は、ＬＥＤパネル３０に初期設定時刻として０時（「＿０：００」）を点滅表示する。そして、マイコン１０は、使用者による（＋）スイッチ２０の操作に応じてＬＥＤパネル３０に表示する時刻を進ませ、（−）スイッチ２１の操作に応じてＬＥＤパネル３０に表示する時刻を遅らせる。
【００２６】
なお、（＋）スイッチ２０及び（−）スイッチ２１の操作中は、マイコン１０はＬＥＤパネル３０の時刻表示を点灯表示し、（＋）スイッチ２０及び（−）スイッチ２１が操作されない状態が０．５秒続くとＬＥＤパネル３０の時刻表示を点滅表示に切換える。
【００２７】
そして、時刻合せスイッチ２２が再度操作されたときに、マイコン１０は、ＬＥＤパネル３０に表示されている時刻を計時開始時刻として現在時刻の計時を開始すると共に、現在時刻設定モードから予約時刻設定モードに移行して「おはよう運転」の予約時刻の初期値である午前０時（「＿０：００」）をＬＥＤパネル３０に点滅表示する。
【００２８】
予約時刻設定モードにおいて、マイコン１０は、現在時刻設定モードにおける場合と同様に、（＋）スイッチ２０の操作に応じてＬＥＤパネル３０に表示する時刻を進ませ、（ー）スイッチ２１の操作に応じてＬＥＤパネル３０に表示する時刻を遅らせる。そして、時刻合せスイッチ２２が操作されたときに、マイコン１０は、ＬＥＤパネル３０に表示されている時刻を「おはよう運転」の予約時刻としてＥＥＰＲＯＭ１１に記憶すると共に、ＬＥＤパネル３０に表示する時刻を現在時刻に切換えて予約時刻設定モードを終了する。
【００２９】
また、現在時刻設定モード及び予約時刻設定モードとされていないときは、使用者は、（＋）スイッチ２０と（−）スイッチ２１を操作することにより、目標暖房温度を設定することができる。すなわち、使用者が（＋）スイッチ２０又は（−）スイッチ２１を操作すると、マイコン１０は、目標暖房温度の初期値（例えば２４℃）をＬＥＤパネル３０ａに表示する。
【００３０】
そして、マイコン１０は、使用者による（＋）スイッチ２０の操作に応じてＬＥＤパネル３０ａに表示する目標暖房温度を上げ、（−）スイッチ２１の操作に応じてＬＥＤパネル３０ａに表示する目標暖房温度を下げる。また、マイコン１０は、ＬＥＤパネル３０ａに表示される目標暖房温度が変更される度に、表示されている目標暖房温度のデータをＥＥＰＲＯＭ１１に記憶する。
【００３１】
また、使用者による運転スイッチ２３の操作に応じて、マイコン１０は暖房運転を開始するが、暖房運転中は、ＬＥＤパネル３０ａに目標暖房温度を表示すると共に、ＬＥＤパネル３０ｂに室温センサ４０により検出される実際の室温を表示する。
【００３２】
一方、運転待機状態にあるときには、マイコン１０は、ＬＥＤパネル３０ａに現在時刻の「時」を表示し、ＬＥＤパネル３０ｂに現在時刻の「分」を表示する。また、マイコン１０は、ＬＥＤパネル３０ａに０〜１１時の１２時間表示を行い、現在時刻が午前であるときは午前ＬＥＤ３１を点灯し、現在時刻が午後であるときには午後ＬＥＤ３２を点灯する。また、マイコン１０は、表示パネル３０に時刻を表示するときは時計ＬＥＤ３３を点灯し、「おはよう運転」の予約が設定されているときはおはようＬＥＤ３４を点灯する。
【００３３】
次に、運転待機状態で商用電源６の停電が生じて該停電から復帰したときのマイコン１０の作動について、図３〜図５に示したフローチャートに従って説明する。
【００３４】
マイコン１０は、停電検出回路１２により商用電源６の停電を検出すると、該停電が生じたことを示すフラグデータをＥＥＰＲＯＭ１１に記憶する。そして、マイコン１０は、商用電源６が停電から復帰して作動を開始したときに、該フラグデータから商用電源６が停電から復帰した状態にあることを認識すると、図３のＳＴＥＰ１からＳＴＥＰ２に進んで、ＬＥＤパネル３０に「−−：−−」を点灯表示して、停電が生じたことを使用者に報知する。
【００３５】
そして、使用者が時刻合せスイッチ２２を操作すると、ＳＴＥＰ３からＳＴＥＰ４に進んで現在時刻設定モードとなり、マイコン１０は、ＬＥＤパネル３０の表示を「−−：−−」の点滅（本発明の現在時刻が設定されていないことを報知する表示に相当する）に切換えて現在時刻が設定されていないことを使用者に報知する。
【００３６】
そして、次のＳＴＥＰ５で使用者により（＋）スイッチ２０又は（−）スイッチ２１が操作されるまで、マイコン１０は、「−−：−−」の点滅表示を継続して、ＳＴＥＰ５とＳＴＥＰ２０からなるループを繰り返し実行する。（＋）スイッチ２０又は（−）スイッチ２１が操作されず、ＬＥＤパネル３０の表示が「−−：−−」の点滅状態で時刻合せスイッチ２２が操作されると、ＳＴＥＰ２０から図５のＳＴＥＰ５０に進んで現在時刻設定モードから予約時刻設定モードに移行し、マイコン１０は、ＥＥＰＲＯＭ１１に記憶された「おはよう運転」の予約時刻のデータを読み出してＬＥＤパネル３０に表示する。
【００３７】
そして、マイコン１０は、ＳＴＥＰ５２で時刻合せスイッチ２２が操作されるまで、ＳＴＥＰ５１とＳＴＥＰ５２からなるループを繰り返し実行する。ＳＴＥＰ５１で（＋）スイッチ２０又は（−）スイッチ２１が操作されるとＳＴＥＰ６０に分岐し、マイコン１０は、（＋）スイッチ２０の操作に応じてＬＥＤパネル３０に表示する時刻を進ませると共に、（−）スイッチ２１の操作に応じてＬＥＤパネル３０に表示する時刻を遅らせる。
【００３８】
そして、ＳＴＥＰ５２で時刻合せスイッチ２２が操作されたときに、マイコン１０は、ＬＥＤパネル３０に表示していた時刻を表すデータを「おはよう運転」の予約時刻のデータとしてＥＥＰＲＯＭ１１に記憶して予約時刻設定モードを終了し、ＳＴＥＰ５３に進んでＬＥＤパネル３０に再び「−−：−−」を表示する。
【００３９】
このように、ＳＴＥＰ３で、使用者により時刻合せスイッチ２２が操作されて現在時刻設定モードに移行した場合に、（＋）スイッチ２０及び（−）スイッチ２１が操作されることなく、ＳＴＥＰ２０で時刻合せスイッチ２２が操作されて予約時刻設定モードに切換えられたときには、マイコン１０は、現在時刻の設定を禁止する。そのため、商用電源６が停電から復帰した際に、使用者が誤って時刻合せスイッチ２２のみを続けて操作しても、現在時刻として初期値である０時が誤って設定されてしまうことがない。
【００４０】
また、マイコン１０は、現在時刻が設定されるまでは、使用者がおはようスイッチ２４を操作しても、「おはよう運転」の予約の受付けを禁止する（この禁止処理が本発明の予約禁止手段による処理に相当する）。そして、これにより、使用者が「おはよう運転」の予約をしたにも関わらず、現在時刻の計時がなされないために予約時刻となっても暖房運転が開始されず、使用者に不快感を与えてしまうことを防止している。
【００４１】
また、（＋）スイッチ２０及び（−）スイッチ２１の操作により現在時刻が設定されるまでは、次に時刻合せスイッチ２２が操作されて現在時刻設定モードに移行したときに、マイコン１０はＬＥＤパネル３０に「−−：−−」を点滅表示する。そして、これにより、使用者に現在時刻が未だ設定されていないことを報知して、現在時刻の設定を促すようにしている。
【００４２】
一方、図３のＳＴＥＰ５で（＋）スイッチ２０又は（−）スイッチ２１が操作されたときには、ＳＴＥＰ６に進んで、マイコン１０は現在時刻の初期値である０時（「０：００」）をＬＥＤパネル３０に点滅表示する。
【００４３】
そして、マイコン１０は、図４のＳＴＥＰ８で時刻合せスイッチ２２が操作されるまで、ＳＴＥＰ７とＳＴＥＰ３０からなるループを繰り返し実行する。ＳＴＥＰ７で（＋）スイッチ２０又は（−）スイッチ２１が操作されるとＳＴＥＰ３０に分岐し、マイコン１０は、（＋）スイッチ２０の操作に応じてＬＥＤパネル３０に表示する時刻を進ませると共に、（−）スイッチ２０の操作に応じてＬＥＤパネル３０に表示する時刻を遅らせる。
【００４４】
そして、ＳＴＥＰ８で時刻合せスイッチ２２が操作されたときに、ＳＴＥＰ９に進んで、マイコン１０は、ＬＥＤパネル３０に表示されていた時刻を計時開始時刻として現在時刻の計時を開始して現在時刻設定モードを終了し、予約時刻設定モードに移行する。
【００４５】
次のＳＴＥＰ１０〜ＳＴＥＰ１２及びＳＴＥＰ３５は、予約時刻設定モードにおける処理であり、マイコン１０は、先ず、ＳＴＥＰ１０で、ＥＥＰＲＯＭ１１に記憶された「おはよう運転」の予約時刻のデータを読み出して該予約時刻をＬＥＤパネル３０に点滅表示する。
【００４６】
そして、ＳＴＥＰ１２で時刻合せスイッチ２２が操作されるまで、マイコン１０は、ＳＴＥＰ１１とＳＴＥＰ３５からなるループを繰り返し実行する。ＳＴＥＰ１１で（＋）スイッチ２０又は（−）スイッチ２１が操作されるとＳＴＥＰ３５に分岐し、マイコン１０は、（＋）スイッチ２０の操作に応じてＬＥＤパネル３０に表示する時刻を進ませると共に、（−）スイッチ２０の操作に応じてＬＥＤパネル３０に表示する時刻を遅らせる。
【００４７】
そして、ＳＴＥＰ１２で時刻合せスイッチ２２が操作されたときに予約時刻設定モードを終了してＳＴＥＰ１３に進み、マイコン１０は、ＬＥＤパネル３０に現在時刻を表示する。
【００４８】
なお、本実施の形態では、商用電源６が停電から復帰して、時刻合せスイッチ２２の操作により現在時刻設定モードとなったときに、図１のＳＴＥＰ４で初期表示としてＬＥＤパネル３０に「−−：−−」を表示して現在時刻が設定されていないことを使用者に報知するようにしたが、初期表示として現在時刻の初期値（例えば０時「０：００」）を表示するようにしてもよい。
【００４９】
また、停電検出回路１２により商用電源６の停電が検出されたときに、停電が検出された時刻（以下、停電時刻という）のデータをＥＥＰＲＯＭ１１に記憶するようにしたコントローラ１においては、商用電源６が停電から復帰して、時刻合せスイッチ２２の操作により現在時刻設定モードとなった図３のＳＴＥＰ４で、ＥＥＰＲＯＭ１１に記憶された該停電時刻のデータを読み出して、該停電時刻を初期表示としてＬＥＤパネル３０に表示してもよい。
【００５０】
また、本実施の形態では、図１のＳＴＥＰ５で（＋）スイッチ２０又は（−）スイッチ２１が操作されたときに、ＳＴＥＰ６でＬＥＤパネル３０に「  ０：００」を表示するようにしたが、このように停電時刻のデータをＥＥＰＲＯＭ１１に記憶するようにしたコントローラ１においては、ＳＴＥＰ６でＬＥＤパネル３０に停電時刻を表示するようにしてもよい。
【００５１】
このようにＬＥＤパネル３０に停電時刻を表示した場合、停電時間は通常３０分以下であるため、現在時刻を設定するための（＋）スイッチ２０と（−）スイッチ２１の操作回数を少なくすることができる。また、本実施の形態のように、午前ＬＥＤ３１と午後ＬＥＤ３２によりＬＥＤパネル３０に表示される時刻が午前であるか午後であるかを区別するものにおいては、初期時刻として「  ０：００」から現在時刻を設定する場合に比べて、午前と午後の設定ミスが生じることを抑制する効果が期待できる。
【００５２】
また、停電検出回路１２により商用電源６の停電が検出されたときに、停電時刻のデータをＥＥＰＲＯＭ１１に記憶するようにし、停電から復帰したときにＥＥＰＲＯＭ１１に記憶された該停電時刻のデータを読み出して該停電時刻から計時を再開するようにしたコントローラ１においては、商用電源６が停電から復帰して、時刻合せスイッチ２２の操作により現在時刻設定モードとなった図３のＳＴＥＰ４で、その時点における停電時刻からの計時時刻を初期表示としてＬＥＤパネル３０に表示してもよい。
【００５３】
また、このように停電から復帰したときにＥＥＰＲＯＭ１１に記憶された該停電時刻のデータを読み出して該停電時刻から計時を再開するようにしたコントローラ１においては、図１のＳＴＥＰ６で、その時点における停電時刻からの計時時刻をＬＥＤパネル３０に表示するようにしてもよい。
【００５４】
このようにＬＥＤパネル３０に停電時刻からの計時時刻を表示した場合、上述したＬＥＤパネル３０に停電時刻を表示する場合よりも、さらに現在時刻を設定するための（＋）スイッチ２０と（−）スイッチ２１の操作回数を少なくすることができ、また、午前と午後の設定ミスが生じることを抑制する効果がさらに高まることが期待できる。
【図面の簡単な説明】
【図１】時計装置の制御ブロック図。
【図２】図１に示したスイッチ類と表示器類が備えられた操作パネルの外観図。
【図３】停電から復帰したときの時刻設定処理のフローチャート。
【図４】停電から復帰したときの時刻設定処理のフローチャート。
【図５】停電から復帰したときの時刻設定処理のフローチャート。
【符号の説明】
１…時計装置、２…コントローラ、３…スイッチ類、４…表示器類、５…整流回路、６…商用電源、１０…マイコン、１１…ＥＥＰＲＯＭ、１２…停電検出回路、２０…（＋）スイッチ、２１…（−）スイッチ、２２…時刻合せスイッチ、２３…運転スイッチ、２４…おやすみスイッチ、２５…おはようスイッチ、３０…ＬＥＤパネル、３１…午前ＬＥＤ、３２…午後ＬＥＤ、３３…時計ＬＥＤ、３４…おはようＬＥＤ
【図１】
0003888910.tif 000002
【図２】
0003888910.tif 000003
【図３】
0003888910.tif 000004
【図４】
0003888910.tif 000005
【図５】
0003888910.tif 000006